(57)【要約】【課題】リードスイッチを安全に固定でき、リードスイッチのリサイクルが容易なガスメータを提供する。【解決手段】このガスメータは、通過流体によって駆動される磁石の回転により動作出力されるリードスイッチの断続信号によりガスの流量の積算を行うガスメータであって、ガスメータ内の前記磁石の磁界内に設けられた固定部材上に形成されたスリット状の凹みに、緩衝部材で包装された前記リードスイッチを収容し、前記凹みの開放部を前記リードスイッチの抜け落ちを防止する押え板で閉塞する。【選択図】図１
2010038814.tif 000002
【特許請求の範囲】
【請求項１】
通過流体によって駆動される磁石の回転により動作出力されるリードスイッチの断続信号によりガスの流量の積算を行うガスメータにおいて、ガスメータ内の前記磁石の磁界内に設けられた固定部材上に形成されたスリット状の凹みに、緩衝部材で包装された前記リードスイッチを収容し、前記凹みの開放部を前記リードスイッチの抜け落ちを防止する押え板で閉塞したことを特徴とするガスメータ。
【請求項２】
通過流体によって駆動される磁石の回転により動作出力されるリードスイッチの断続信号によりガスの流量の積算を行うガスメータにおいて、ガスメータ内の前記磁石の磁界内に設けられた固定部材上に形成された一対のリブの間に、緩衝部材で包装された前記リードスイッチを収容し、前記リブの上端部を前記リードスイッチの抜け落ちを防止する押え板で閉塞したことを特徴とするガスメータ。
【請求項３】
通過流体によって駆動される磁石の回転により動作出力されるリードスイッチの断続信号によりガスの流量の積算を行うガスメータにおいて、ガスメータ内の前記磁石の磁界内に設けられた固定部材上に形成されたボスの中に、緩衝部材で包装された前記リードスイッチを収容し、前記ボスの開放部を前記リードスイッチの抜け落ちを防止する押え板で閉塞したことを特徴とするガスメータ。
【発明の詳細な説明】
【技術分野】
【０００１】
本発明は、ガラス封入型素子であるリードスイッチを用いてガスの流量の積算を行うガスメータに関する。
【背景技術】
【０００２】
マイコンシステムが搭載されたガスメータでは、ガス流量によって回転する回転体に取り付けた磁石が発生する磁界によりオン／オフするリードスイッチからなる流量センサを備えたものが知られている。
【０００３】
図４に示すように、このガラス封入型素子であるリードスイッチ３０は、細長のガラス管３１を備えており、ガラス管３１内に長手方向に沿って１対の強磁性体のリード片３２が封入されている。
そして、リード片３２は、リード片一端の接点３３同士が互いに接触する位置に配置されており、磁界の有無に応じて接点３３同士が互いに接触・非接触状態となる。
また、リード片３２の一端は、ガラス管３１の外部に伸びており、リード線３４として用いられる。
【０００４】
また、リードスイッチ３０は、図５に示すように、樹脂ケース４０に設けた凹部４２内にガラス管３１を収容するとともに、樹脂でポッティングして、ガラス管３１を保護し、この凹部４２からリード線３４を外部に伸ばしている。
また、樹脂ケース４０には所定の間隔を置いた取付穴４１と、ガスメータの固定部材５１には所定の間隔を置いたねじボス５２とが設けられている。そして、図６に示すように、樹脂ケース４０の取付穴４１をねじボス５２に係合させて、樹脂ケース４０をねじボス５２に掛止した状態で、固定ねじ５３により取付穴４１をねじボス５２に固定することにより、樹脂ケース４０を固定部材５１に固定している。
【発明の開示】
【発明が解決しようとする課題】
【０００５】
しかしながら、上記のようなリードスイッチケースでは、ケースの部品費や加工費などにより、リードスイッチの部品単価が上がってしまうことになる。
また、リードスイッチは樹脂などでポッティングされているので、ケースから取り出しにくく、リードスイッチのリサイクルが容易ではない。
【０００６】
本発明は、上述した実情を考慮してなされたものであって、リードスイッチを安全に固定でき、リードスイッチのリサイクルが容易なガスメータを提供することを目的とする。
【課題を解決するための手段】
【０００７】
上記の課題を解決するために、通過流体によって駆動される磁石の回転により動作出力されるリードスイッチの断続信号によりガスの流量の積算を行う本発明のガスメータは、次のいずれかの構成を持つものである。
【０００８】
（１）ガスメータ内の前記磁石の磁界内に設けられた固定部材上に形成されたスリット状の凹みに、緩衝部材で包装された前記リードスイッチを収容し、前記凹みの開放部を前記リードスイッチの抜け落ちを防止する押え板で閉塞する。
【０００９】
（２）ガスメータ内の前記磁石の磁界内に設けられた固定部材上に形成された一対のリブの間に、緩衝部材で包装された前記リードスイッチを収容し、前記リブの上端部を前記リードスイッチの抜け落ちを防止する押え板で閉塞する。
【００１０】
（３）ガスメータ内の前記磁石の磁界内に設けられた固定部材上に形成されたボスの中に、緩衝部材で包装された前記リードスイッチを収容し、前記ボスの開放部を前記リードスイッチの抜け落ちを防止する押え板で閉塞する。
【発明の効果】
【００１１】
本発明によれば、保護ケースやポッティングを必要としない状態で、リードスイッチをガスメータに安全に固定できるので、安価な形態で使用することができガスメータそのもののコスト低減につながる。
また、リードスイッチを取り出しやすいので、分解性やリサイクル性が向上する。
また、所定の磁界が受けられるように、リードスイッチの固定位置をガスメータの所定の位置に設けているのでリードスイッチの位置決めが容易である。
【発明を実施するための最良の形態】
【００１２】
以下、図面を参照して本発明の好適な実施形態について説明する。
本発明で用いるリードスイッチは、背景の技術で説明した、公知のリードスイッチを用いる。
【００１３】
＜実施形態１＞
図１は、実施形態１に係るリードスイッチの取付状態を示す図である。
ガスメータ本体には、ガス（流体）の流路中に回転自在に取り付けられた回転体上の磁石の磁界内に設けられているガスメータのケースや仕切り壁等にリードスイッチの固定部材１０が設けられている。
この固定部材１０には、回転体上の磁石の磁界内の所定の位置に、緩衝部材１２で包装されたリードスイッチ３０が収容可能な広さと深さのスリット状の凹み（穴）１１とねじ穴１４とが形成されている。このスリット状の凹み（穴）１１は、回転体とは反対側の固定部材１０の面に形成する。
リードスイッチ３０は、ゴム、気泡緩衝材、発泡材などの衝撃を緩衝できる緩衝部材１２で包装され、リード線は緩衝部材１２からはみ出すようにする。
【００１４】
また、リードスイッチ３０は、磁界に対して反応するように用いられるため、対応して用いられる磁石との距離を安定的に保つ必要がある。このため、緩衝部材１２で包装されたリードスイッチ３０が凹み１１から抜け落ちないように、押え板１３をねじ１５とねじ穴１４とにより固定部材１０に固定し、凹み１１の開放部を閉塞する。
【００１５】
これにより、リードスイッチのガラス管本体は、簡単且つ安全に固定できるので、リードスイッチを安価な形態で使用でき、ガスメータのコストを低減させることができる。
また、リードスイッチを取り出すときには、押え板を取り除いて、緩衝部材で包装されたリードスイッチを取り出すだけなので、簡単に分解することができる。
また、所定の磁界が受けられるように、リードスイッチの固定位置をガスメータの所定の位置に設定けるとともに、押え板により磁石と安定した距離に保つことができるので、リードスイッチの位置決めが容易である。
【００１６】
＜実施形態２＞
図２は、実施形態２に係るリードスイッチの取付状態を示す図である。
実施形態２は、実施形態１の凹みの代わりに、固定部材１０に緩衝部材１２で包装されたリードスイッチ３０を挟み込む間隔と高さのリブ１７を対向して形成する。この対向したリブ１７は、回転体とは反対側の固定部材１０の面で、回転体上の磁石の磁界内の所定の位置になるように形成する。
また、対向したリブ１７と同じ高さのねじボス１６を設け、ねじ１５により緩衝部材１２で包装されたリードスイッチ３０が対向したリブ１７から抜け落ちないように押え板１３にて押え閉塞する。
以上のような構成により、実施形態１と同様な効果を得ることができる。
【００１７】
＜実施形態３＞
図３は、実施形態３に係るリードスイッチの取付状態を示す図であり、（Ａ）は断面図、（Ｂ）は正面図である。
実施形態３は、実施形態１の凹みの代わりに、固定部材１０に緩衝部材１２で包装されたリードスイッチ３０を収納可能な内径と深さをもつボス１８を形成する。このボス１８は、回転体とは反対側の固定部材１０の面で、回転体上の磁石の磁界内の所定の位置になるように形成する。
緩衝部材１２で包装されたリードスイッチ３０は、リードスイッチ３０の長手方向と固定部材１０とが平行になるように収納される。
また、ボス１８と同じ高さのねじボス１６を設け、ねじ１５により緩衝部材１２で包装されたリードスイッチ３０がボス１８から抜け落ちないように押え板１３にて押え閉塞する。このとき、リード線は、ボス１８と押え板１３の隙間から取り出せるようにする。
以上のような構成により、実施形態１と同様な効果を得ることができる。
【００１８】
尚、本発明は上述した実施形態に限定されず、本発明の要旨を逸脱しない範囲内で各種の変形、修正が可能であるのは勿論である。
例えば、上述の実施形態では、押え板をねじで固定しているが、スナップフィット、圧入など位置が固定できるものであればその固定手段は問わない。
【図面の簡単な説明】
【００１９】
【図１】実施形態１に係るリードスイッチの取付状態を示す図である。
【図２】実施形態２に係るリードスイッチの取付状態を示す図である。
【図３】実施形態３に係るリードスイッチの取付状態を示す図である。
【図４】リードスイッチの断面図である。
【図５】リードスイッチケースの側面図と正面図である。
【図６】リードスイッチケースの固定方法を示す図である。
【符号の説明】
【００２０】
１０…固定部材、１１…凹み、１２…緩衝部材、１３…押え板、１４…ねじ穴、１６…ねじボス、１７…リブ、３０…リードスイッチ、３１…ガラス管、３２…リード片、３３…接点、３４…リード線、４０…樹脂ケース、４１…取付穴、４２…凹部、５１…固定部材、５２…ねじボス、５３…固定ねじ。
【図１】
2010038814.tif 000003
【図２】
2010038814.tif 000004
【図３】
2010038814.tif 000005
【図４】
2010038814.tif 000006
【図５】
2010038814.tif 000007
【図６】
2010038814.tif 000008